(57)【要約】本発明は、アンテナの偏波表示の方法及び装置を開示する。アンテナの偏波表示方法は、アンテナの放射方向から複数の所定放射方向を選択する選択手段と、これら複数の所定放射方向を座標図中にマッピングするマッピング手段と、上記複数の所定放射方向におけるアンテナの放射データを取得する取得手段と、これらの放射データに応じて、上記複数の所定放射方向におけるアンテナの偏波パターンを上記座標図上にプロットするプロット手段とを具えている。本発明の方法及び装置により、各放射方向におけるアンテナのすべての偏波情報を１つの図のみで提供することができる。
2009509157.tif 000002
【特許請求の範囲】
【請求項１】
(a) アンテナの放射方向から複数の所定放射方向を選択するステップと；
(b) 前記複数の所定放射方向を座標図中にマッピングするステップと；
(c) 前記複数の所定放射方向における前記アンテナの放射データを取得するステップと；
(d) 前記放射データに応じて、前記複数の所定放射方向における前記アンテナの偏波パターンを前記座標図上にプロットするステップと
を具えていることを特徴とするアンテナの偏波表示方法。
【請求項２】
さらに、
前記複数の所定放射方向の１つにおいて、前記アンテナが楕円偏波または円偏波する場合に、当該放射方向における前記偏波パターンの軌跡を、当該放射方向における前記アンテナの電界ベクトルの回転方向に沿って太線から細線へと次第に変化するようにプロットするステップを具えていることを特徴とする請求項１に記載のアンテナの偏波表示方法。
【請求項３】
前記座標図が平面座標図であり、前記複数の所定放射方向を、前記平面座標図上の対応する複数の点にマッピングすることを特徴とする請求項２に記載のアンテナの偏波表示方法。
【請求項４】
ステップ(b)において、前記座標図が球座標図であり、前記複数の所定放射方向を、前記球座標図上の対応する複数の点にマッピングすることを特徴とする請求項２に記載のアンテナの偏波表示方法。
【請求項５】
ステップ(d)において、前記対応する複数の点の各々を中心にとることによって、前記偏波パターンをプロットすることを特徴とする請求項３または４に記載のアンテナの偏波表示方法。
【請求項６】
ステップ(c)において、前記放射データが、電界成分の絶対値及び位相から成ることを特徴とする請求項１〜４のいずれかに記載のアンテナの偏波表示方法。
【請求項７】
アンテナの放射方向から複数の所定放射方向を選択する選択手段と；
前記複数の所定放射方向を座標図中にマッピングするマッピング手段と；
前記複数の所定放射方向における前記アンテナの放射データを取得する取得手段と；
前記放射データに応じて、前記複数の所定放射方向における前記アンテナの偏波パターンを前記座標図上にプロットするプロット手段と
を具えていることを特徴とするアンテナの偏波表示装置。
【請求項８】
前記複数の所定放射方向の１つにおいて、前記アンテナが楕円偏波または円偏波する際に、前記プロット手段が、当該放射方向における前記偏波パターンの軌跡を、当該放射方向における前記アンテナの電界ベクトルの回転方向に沿って太線から細線へと次第に変化するようにプロットすることを特徴とする請求項７に記載のアンテナの偏波表示装置。
【請求項９】
前記座標図が平面座標図であり、前記マッピング手段が、前記複数の所定放射方向を、前記平面座標図上の対応する複数の点にマッピングすることを特徴とする請求項８に記載のアンテナの偏波表示装置。
【請求項１０】
前記座標図が球座標図であり、前記マッピング手段が、前記複数の所定放射方向を、前記球座標図上の対応する複数の点にマッピングすることを特徴とする請求項８に記載のアンテナの偏波表示装置。
【請求項１１】
前記プロット手段が、前記対応する複数の点の各々を中心にとることによって、前記偏波パターンをプロットすることを特徴とする請求項９または１０に記載のアンテナの偏波表示装置。
【請求項１２】
前記放射データが、電界成分の絶対値及び位相から成ることを特徴とする請求項７に記載のアンテナの偏波表示装置。
【発明の詳細な説明】
【技術分野】
【０００１】
（発明の分野）
本発明は一般にアンテナ技術に関するものであり、特にアンテナの偏波表示方法及び装置に関するものである。
【背景技術】
【０００２】
（発明の背景）
アンテナは主に通信分野で用いられる無線装置であり、空中の電磁波の送信及び受信を実現する機能を有する。アンテナによって送信されるあらゆる電磁波が電界ベクトル及び磁界ベクトルから成り、これらのベクトルは常に互いに直交し、そして遠距離電磁界の放射では電磁波の放射方向に直交する。アンテナが電磁波を放射する際に、電界ベクトル及び磁界ベクトルの向きは各放射方向において時間と共に周期的に変化し、このことは一般にアンテナ偏波と称される。
【０００３】
アンテナの放射特性が種々の要求を満足するか否かをテストするために、アンテナの開発及び設計中に、一般に観測用の球（極）座標系内にアンテナを配置することによって、アンテナの偏波を調査する必要がある。図１に、図示を簡単にするために球座標系を示し、ここでＺ軸は紙面内に位置して縦方向に伸び、Ｙ軸はＺ軸に直交して紙面内の右向きに伸び、そしてＸ軸は紙面に垂直である。アンテナの任意の放射方向（θ，φ）について、θは、球座標系において放射方向とＺ軸の正方向とがなす角度を表し、φは、球座標系においてＸ軸の正方向と、放射方向のＸ−Ｙ平面上への射影とがなす角度を表す。
【０００４】
遠距離電磁界放射における電磁波の電界ベクトルは２つの直線偏波成分Ｅθ及びＥφから成り、これらは互いに直交する。Ｅθの方向を縦軸にとり、Ｅφの方向を横軸にとることによって、局所平面の直交座標系が形成される。この座標面は放射方向（θ，φ）に直交する。１つの時間サイクル中の任意の瞬時にＥθ及びＥφの変化に応じて電界ベクトルが局所平面の直交座標系内にマッピング（写像）される場合には、この電界ベクトルの終点は時間と共に変化し、この局所平面の直交座標系の原点の周りを回転する。従って、その回転軌跡（トレース）は閉じたパターンを描き、このパターンが方向（θ，φ）におけるアンテナの偏波特性を表す。このパターンをアンテナの偏波パターンと称する。この回転は左向きと右向きとに分類され、偏波も左と右とに分類される。
【０００５】
通常、アンテナの偏波パターンは楕円形であり、これに対応してその偏波を楕円偏波と称する。楕円偏波は、電界ベクトルの終点の軌跡の回転方向に応じて左楕円偏波及び右楕円偏波とすることができる。楕円は長軸及び短軸を有する。その軸比（ＡＲ：Axis Ratio）は一般に長軸と短軸との比率として定義され、異なる形状を有する楕円偏波は異なるＡＲ値を有する。これらの長軸及び短軸は一般に、上記局所平面の直交座標系上に置かれない。この場合には、楕円の長軸と局所平面の直交座標系における縦軸Ｅθの正方向との間の内角を、上記放射方向における楕円偏波の傾斜（チルト）角と称する。
【０００６】
電界ベクトルの２つの直線成分ＥθとＥφとが同じ振幅であるが+90°または-90°の位相差を有する際には、アンテナの偏波パターンは円形であり、対応する偏波を円偏波と称する。円偏波は左円偏波及び右円偏波とすることができる。円の長軸と短軸とは等しいので、円偏波のＡＲ値は１または０dBである。
【０００７】
電界の２つの直線成分Ｅθ及びＥφが０の振幅を有するか、これら２つの線分が等しい位相を有する際には、アンテナの偏波パターンは線分であり、対応する偏波は直線偏波である。線分の短軸は０であるので、直線偏波のＡＲ値は無限大である。この線分と局所平面の直交座標系の縦軸Ｅθの正方向との間の内角が、上記放射方向における直線偏波の傾斜角である。傾斜角が０°である際には、対応する偏波は水平直線偏波である。
【０００８】
アンテナの偏波特性を調査する際には、観測する放射方向についての偏波の種類（楕円、円、または直線偏波）を知る必要がある。楕円偏波を判定した際には、その回転方向（左偏波または右偏波）、傾斜角、及びＡＲ値をさらに知る必要がある。円偏波を判定した際には、円偏波の回転方向（左偏波または右偏波）をさらに知る必要がある。直線偏波の際にも、直線偏波の傾斜角をさらに知る必要がある。一般的に言えば、上記放射方向におけるアンテナの偏波状態は、観測した放射方向における上述した偏波情報をもとに知ることができる。
【０００９】
【非特許文献１】Wolfgang-Martin Boerner, Wei-Ling Yan, An-Qing Xi and Yoshio Yamaguchi: “On the basic principles of radar polarimetry the target characteristic polarization state theory of Kennaugh, Huynen’s polarization fork concept, and its extension to the partially polarized case”, Proceeding of the IEEE Vol. 79, No. 10, 1991年10月
【非特許文献２】Harry Mieras: “Optimal polarizations of simple compound targets”, IEEE Transactions on Antennas and Propagation, Vol. 31, No. 6, 1983年11月, 996〜999ページ
【非特許文献３】Georges A. Deschamps and P. Edward Mast: “Poincare sphere representation of partially polarized field”, IEEE Transactions on Antennas and Propagation, Vol. 21, No. 4, 1973年7月, 474〜778ページ
【非特許文献４】George H. Knittle: “The polarization sphere as graphical aid in determining the polarization of an antenna by amplitude measurements only”, IEEE Transactions on Antenna and Propagation, Vol. 15, No. 2, 1967年3月, 217〜221ページ
【００１０】
従来技術では、所定放射方向におけるアンテナの偏波情報を記録するために、ポアンカレ球がしばしば用いられている。ポアンカレ球は、異なる傾斜角及びＡＲ値を有する偏波状態を区別することはできるが、アンテナの偏波特性が放射方向と共に変化する様子を反映した情報は表現することができない。Wolfgang-Martin Boerner、Wei-Ling Yan、An-Qing Xi、及びYoshio Yamaguchiが“On the basic principles of radar polarimetry the target characteristic polarization state theory of Kennaugh, Huynen’s polarization fork concept, and its extension to the partially polarized case”, Proceeding of the IEEE Vol. 79, No. 10, 1991年10月において提案する方法によれば、ポアンカレ球の表面を複素平面上に投影し、これにより球面全体を平面上に表示しマッピングすることができる。Harry Mierasが“Optimal polarizations of simple compound targets”, IEEE Transactions on Antennas and Propagation, Vol. 31, No. 6, 1983年11月, 996〜999ページにおいて提案する他の方法によれば、ポアンカレ球の等面積射影を用いて偏波を表示している。Georges A. Deschamps及びP. Edward Mastは、球内部の複数の点を導入して部分偏波状態を表現することによってポアンカレ球の表現を改良し、これについては“Poincare sphere representation of partially polarized field”, IEEE Transactions on Antennas and Propagation, Vol. 21, No. 4, 1973年7月, 474〜778ページに記載されている。George H. Knittleが“The polarization sphere as graphical aid in determining the polarization of an antenna by amplitude measurements only”, IEEE Transactions on Antenna and Propagation, Vol. 15, No. 2, 1967年3月, 217〜221ページにおいて提案する方法によれば、複数の偏波図を導入し、これらの図はポアンカレ球の立体投影である。
【００１１】
上述した方法はポアンカレ球の表現能力を拡張及び改善し、ポアンカレ球の表現能力を実験方法及び測定方法に組み入れることを可能にしたが、これらの方法は完全な偏波情報を提供することができず、これらの表示方法の一部は、結果を印刷媒体上に明快に１つの図で表現することを不便にする。
【発明の開示】
【発明が解決しようとする課題】
【００１２】
本発明の目的は、各放射方向におけるアンテナの完全な偏波情報を提供することを可能にする、アンテナの偏波表示の方法及び装置を提供することにある。
【００１３】
本発明の他の目的は、各放射方向におけるアンテナの完全な偏波情報を１つの図のみで提供することを可能にする、アンテナの偏波表示の方法及び装置を提供することにある。
【課題を解決するための手段】
【００１４】
本発明の上記目的を達成するために、本発明によれば、アンテナの偏波表示方法が提供され、この方法は次のステップを具えている：
(a) アンテナの放射方向から複数の所定放射方向を選択するステップ；
(b) 前記複数の所定放射方向を座標図中にマッピングするステップ；
(c) 前記複数の所定放射方向における前記アンテナの放射データを取得するステップ；
(d) 前記放射データに応じて、前記複数の所定放射方向における前記アンテナの偏波パターンを前記座標図上にプロットするステップ。
【００１５】
上述した本発明の目的を果たすために、本発明によれば、アンテナの偏波表示装置が提供され、この装置は：
アンテナの放射方向から複数の所定放射方向を選択する選択手段と；
前記複数の所定放射方向を座標図中にマッピングするマッピング手段と；
前記複数の所定放射方向における前記アンテナの放射データを取得する取得手段と；
前記放射データに応じて、前記複数の所定放射方向における前記アンテナの偏波パターンを前記座標図上にプロットするプロット手段と
を具えている。
【００１６】
以下の図面を参照した説明及び請求項の記載を参照することによって、本発明の他の目的が明らかになると共に、本発明をより完全に理解することができる。
【発明を実施するための最良の形態】
【００１７】
すべての図面を通して、同じ参照番号は同様または対応する特徴または機能を参照する。
【００１８】
（実施例の詳細な説明）
本発明が提案するアンテナの偏波表示方法によれば、アンテナの放射方向から複数の放射方向をサンプル方向として選択し、これらのサンプル方向毎に遠距離電界のデータを取得する。そして、選択したサンプル方向を、二次元平面直角図または球面図上の対応する複数のマップ点にマッピングする。その後に、各サンプル方向における遠距離電界に応じて、各サンプル方向に放射される遠距離電界の偏波パターンを、上記二次元平面直角図または球面図内の対応するマップ点を中心としてプロットすることができる。本発明によるアンテナの偏波表示方法は、コンピュータのソフトウェアプログラムのみによって実行することができ、あるいは、従来のアンテナのシミュレーションテスト・ソフトウェアに組み込むことができる。
【００１９】
以下、本発明によるアンテナの偏波表示方法について、図２及び図３を参照しながら詳細に説明する。
【００２０】
発明の背景において示したように、放射方向（θ，φ）におけるアンテナの電界は、互いに直交する２つの直線偏波成分Ｅθ及びＥφから成る。１つの時間サイクル中の、これら２つの成分によって合成されるベクトルの終点の軌跡が、この放射方向におけるアンテナの偏波パターンである。
【００２１】
図２に、特定放射方向（θ，φ）におけるアンテナの偏波成分Ｅθ及びＥφ、及びこれに対応する偏波パターンを示す。図２では、ａは偏波楕円の半長軸（長軸の半分）を表し、ｂは偏波楕円の半短軸（短軸の半分）を表し、ａ／ｂは偏波楕円の軸比を表し、そして偏波楕円の軌跡が太線から細線に変わる向きが電界ベクトルの回転方向を表す。
【００２２】
図２を参照すれば、偏波パターンの形状が楕円形であるか、円形であるか、あるいは線分であるかに応じて、放射方向（θ，φ）においてアンテナが楕円偏波するか、円偏波するか、あるいは直線偏波するかを判定することができる。さらに、偏波楕円の軌跡が太線から細線に変わる向きが時計回りであるか反時計回りであるかにより、放射方向（θ，φ）におけるアンテナの偏波方向が左向きであるか右向きであるかを判定することができる。半長軸ａと縦軸の正方向（Ｅθの正方向）との間の内角により、放射方向（θ，φ）におけるアンテナの偏波の傾斜角を測定することができる。偏波パターンのサイズにより、放射方向（θ，φ）におけるアンテナの放射電界強度を測定することができる。さらに、放射方向（θ，φ）におけるアンテナの放射電界強度が弱く、偏波の種類を区別するためには偏波パターンが小さ過ぎる際には、ＡＲ値の表示を利用して偏波の種類を判定することができる。以上の説明より、あらゆる放射方向におけるアンテナの完全な偏波情報を、偏波パターンから、そして必要な際にＡＲ値を利用して得ることができることがわかる。
【００２３】
すべての放射方向におけるアンテナの完全な偏波情報を得る必要がある際には、アンテナのすべての放射方向から複数の放射方向をサンプル方向として選択する。そして、これらのサンプル方向におけるＥθ及びＥφ成分の絶対値及び位相のような遠距離電界データを、例えばシミュレーションソフトウェアを用いてアンテナのシミュレーションを行うことによって取得する。これらのサンプル方向を、二次元平面直角図または球面図上の対応する点にマッピングする。最後に、各サンプル方向において取得した遠距離電界データに応じて、偏波パターンを、二次元平面直角図または球面図中の上記対応する点を中心とした局所平面の直交座標系内にプロットする。
【００２４】
図３に、本発明による、アンテナの偏波特性を表現するための二次元平面直角図を示し、縦軸は０°から180°までの範囲のθ軸であり、横軸は０°から360°までのφ軸である。
【００２５】
サンプル方向の選択は、実際に必要な表示解像度に応じて行うことができ、例えば10°おきのθ及びφを有する放射方向をサンプル方向として選択することができる。より鮮明な表示の必要がある際には、放射方向は５°おきにサンプル方向として選択することができる。
【００２６】
本発明によるアンテナの偏波表示方法を用いて、各サンプル方向におけるアンテナの偏波パターンを二次元平面直角図または球面図上にプロットした後に、関心のある放射方向においてアンテナが示している偏波の種類（楕円、円、または直線偏波）を観測を通して直接判定することが、技術者にとって役に立つ。関心のある放射方向においてアンテナが楕円または円偏波を示す際には、偏波の軌跡が太線から細線へと次第に変化する向きにより、関心のある放射方向におけるアンテナの偏波の向きが左向きであるか右向きであるかを、さらに判定することができる。アンテナが直線偏波を示す際には、偏波の線分と座標軸との位置関係に応じて、関心のある方向におけるアンテナの偏波が水平偏波であるか垂直偏波であるかを判定することができる。アンテナが楕円偏波または直線偏波である際には、偏波パターンの長軸と座標軸との間の内角により、関心のある放射方向におけるアンテナの偏波の傾斜角を測定することができる。さらに、関心のある放射方向におけるアンテナの放射電界強度を、偏波パターンの異なるサイズにより測定することができる。
【００２７】
以上の説明より、本発明は、偏波パターンを通して、１つの図、即ち二次元平面直角図または球面図のみで、あらゆる放射方向におけるアンテナの完全な偏波情報を提供することができる。従って、本発明によるアンテナの偏波表示方法は種々の印刷媒体に適している。
【００２８】
以下、本発明による、アンテナの偏波を二次元平面に表示する方法の詳細な説明を、３つの周知のアンテナ構造を例として取り上げることによって、図４〜１２を参照しながら説明する。
【００２９】
Ｉ．直線偏波を有するダイポールアンテナ
図４に、直線偏波特性を有するダイポールアンテナを示す。図４に示すように、このダイポールアンテナは半波長ダイポールであり、150nmの長さ及び１mmの半径を有する。このダイポールアンテナは幅２mmのギャップをその中心に有し、信号はこのギャップを通してダイポールアンテナに供給される。このアンテナの共振周波数は927MHzである。このダイポールアンテナの中心は球面座標系の原点に位置し、ダイポールアンテナと座標系の３つの座標軸ｘ、ｙ及びｚとの間の内角は45°である。
【００３０】
図５に、既存のアンテナ・シミュレーションソフトウェアを用いることによって得られた、上記ダイポールアンテナの三次元放射パターンを示す。図５に示すように、上記ダイポールアンテナは通常のダイポールの典型的なドーナツ形放射パターンを示し、即ち、ダイポールアンテナの長手方向の２端に沿った放射方向が最も弱い電界強度を有し、アンテナに直交する放射方向が最強の電界強度を有する。
【００３１】
図６に、いくつかのサンプル方向における上記ダイポールアンテナの偏波パターンを、上述した本発明の方法による二次元平面直角図中に示し、この二次元平面直角図の縦軸は軸θであり、横軸は軸φである。偏波パターンのプロットはコンピュータを利用して行うことができる。
【００３２】
図６に示す偏波パターンを得た後に、当業者は容易に、上記ダイポールアンテナが直線偏波することを判定することができる、というのは、すべての放射方向におけるこのダイポールアンテナの偏波パターンはおよそ線分に近いからである。さらに、図６から、（θ，φ）が（45°，45°）及び（135°，230°）である２つの点に近い領域内では、即ち、ダイポールアンテナの上記２端に沿った放射方向付近では、上記線分が小さいサイズを有することがわかる。他の領域内の線分は大きいサイズを有し、従って、ダイポールアンテナの長手方向の２端に沿った放射方向ではダイポールアンテナが弱い放射電界強度を有し、他の方向では強い放射電界強度を有し、このことは図５のドーナツ形パターンによって示されるアンテナの放射特性によるものである。図６に示す各線分と座標軸との位置関係より、各放射方向におけるアンテナの直線偏波の傾斜角を測定することができる。図６は、13.7019dBの最小ＡＲ値及び57.3308dBの最大ＡＲ値を有する２つの放射方向も示す。これら２つの放射方向のＡＲ値を参照して、すべての放射方向における上記ダイポールアンテナのＡＲ値の分布をおよそ推定することができる。
【００３３】
以上の説明より、図６に示す二次元平面直角図中の偏波パターンは、技術者が各放射方向におけるダイポールアンテナの偏波の種類、偏波の傾斜角、及びＡＲ値を容易に得ることに役立つことができることがわかる。
【００３４】
II．円偏波を有するパッチアンテナ
図７に、円偏波を有する一般的なパッチアンテナを示し、このパッチアンテナは、座標系の原点を中心とする球面座標系のＺ−Ｙ平面内に位置する。
【００３５】
図８に、既存のアンテナ・シミュレーションソフトウェアを用いることによって得られたパッチアンテナの三次元放射パターンを示す。図８より、上記パッチアンテナは、パッチの前方の放射方向ではより強い放射電界強度を有し、パッチの後方の放射方向では非常に弱い放射電界強度を有することがわかる。
【００３６】
図９に、いくつかのサンプル方向におけるパッチアンテナの偏波パターンを、本発明のアンテナの偏波表示方法による二次元平面直角図中にプロットして示し、二次元平面直角図の縦軸は軸θであり、横軸は軸φである。偏波パターンのプロットはコンピュータを利用して実行することができる。
【００３７】
図９の偏波パターンを得た後に、上記パッチアンテナが各放射方向において円に近い偏波パターンを有することがわかり、これにより、技術者はこのアンテナが円偏波であることがわかる。図９によれば、これらの円はパッチアンテナのパッチの後方の放射方向において、即ち、（θ，φ）が（90°，180°）である点付近の領域内で小さいサイズを有することがわかる。他の領域内では、特にパッチアンテナのパッチ前方の放射方向では、これらの円は大きいサイズを有する。このことに基づいて、上記パッチアンテナが、そのパッチの前方の放射方向では強い放射電界強度を有し、そのパッチの後方の放射方向では弱い電界強度を有することがわかり、このことは、図８の三次元放射パターンに示すアンテナの放射特性によるものである。図９より、円毎の軌跡は反時計回りに太線から細線へと次第に変化していることがわかる。こうして、上記パッチアンテナはすべての放射方向において右円偏波を有することを判定することができる。図９はさらに、0.094717dBの最小ＡＲ値及び19.2891dBの最大ＡＲ値を有する２つの放射方向を示す。これら２つの放射方向のＡＲ値を参照して、各放射方向におけるアンテナのＡＲ値の分布をおよそ推定することができる。
【００３８】
以上の説明によれば、図９に示す二次元平面直角図中の偏波パターンは、各放射方向におけるパッチアンテナの偏波の種類、偏波の向き、及びＡＲ値を容易に得ることに役立つことができることがわかる。
【００３９】
III．複雑な偏波を有するＰＩＦＡ
一般的な直線偏波及び円偏波のアンテナの他に、大部分のアンテナは一般に複雑な偏波特性を有する。
【００４０】
【非特許文献５】Huynh, M.-C.; Stutzman, W.: “Ground plane effects on planar inverted-F antenna (PIFA) performance”, Microwaves, Antennas and Propagation, IEEE Proceedings-, Vol. 150, No. 4, 2003年8月8日, 209〜213ページ
【００４１】
図１０に、複雑な偏波特性を有するＰＩＦＡ（Planar Inverted-F Antenna：板状逆Ｆアンテナ）の構造を示す。図１０に示すように、このＰＩＦＡは、100mm×100mmの接地面の中心に実装された20mm×20mmのプレート（平板）を有する。プレートと接地面との間の垂直距離は10mmである。このＰＩＦＡは、Huynh, M.-C.; Stutzman, W.が“Ground plane effects on planar inverted-F antenna (PIFA) performance”, Microwaves, Antennas and Propagation, IEEE Proceedings-, Vol. 150, No. 4, 2003年8月8日, 209〜213ページに記載したアンテナモデルと同様の構造を有する。
【００４２】
図１１に、既存のアンテナ・シミュレーションソフトウェアを用いることによって得られたＰＩＦＡの放射パターンを示す。図１１より、このＰＩＦＡの各放射方向における放射電界強度の分布がわかる。
【００４３】
図１２に、複数のサンプル方向における上記ＰＩＦＡの偏波パターンを、上述した本発明のアンテナの偏波表示方法による二次元平面直角図にプロットして示し、二次元平面直角図の縦軸は軸θであり、横軸は軸φである。偏波パターンのプロットはコンピュータを利用して実行することができる。
【００４４】
図１２の偏波パターンを得た後に、上記ＰＩＦＡの偏波パターンは、円に近いパターン、直線に近いパターン、及び楕円パターンを含むことがわかる。従って、技術者は、このＰＩＦＡが複雑な偏波特性を有することを判定することができる。図１２に示すように、この偏波パターンは、（θ，φ）が（90°，180°）及び（90°，0°）である方向に近い領域内では小さいサイズを有し、他の方向では大きいサイズを有する。このことに基づき、このＰＩＦＡはこれら２つの放射方向では弱い放射電界強度を有し、他の放射方向では強い放射電界強度を有することを判定することができ、このことは図１１の放射パターンによるものである。図１２に示すように、10°＜φ＜120°の放射方向では、上記ＰＩＦＡの偏波パターンは主に円形及び楕円形として示され、これらの円形及び楕円形の軌跡は時計回りに太線から細線へと次第に変化していることがわかる。240°＜φ＜350°の放射方向でも、上記ＰＩＦＡの偏波パターンは主に円形及び楕円形として示され、これらの円形及び楕円形の軌跡は反時計回りに太線から細線へと次第に変化していることがわかる。このことに基づき、上記ＰＩＦＡは左円偏波及び左楕円偏波、並びに右円偏波及び右楕円偏波を有することを判定することができる。図１２に示す各楕円の向きにより、アンテナの楕円偏波毎の傾斜角を測定することができる。図１２より、上記ＰＩＦＡの偏波パターンは、120°＜φ＜240°の放射方向では主に線分として示され、従って、アンテナの各直線偏波の傾斜角は、座標軸に対する各線分の配置により測定することができる。図１２はさらに、0.15dBの最小ＡＲ値及び38.82dBの最大ＡＲ値を有する２つの放射方向を示す。これら２つの放射方向のＡＲ値を参照して、各放射方向におけるアンテナのＡＲ値の分布をおよそ推定することができる。
【００４５】
以上の説明に基づき、図１２に示す二次元平面直角図中の偏波パターンは、技術者が各放射方向におけるＰＩＦＡアンテナの偏波の種類、偏波の向き、偏波の傾斜角、及びＡＲ値を容易に得ることに役立つことができることがわかる。
【００４６】
以下、本発明による、アンテナの偏波を球面図に表示する方法の詳細な説明を、３つの周知のアンテナ構造を例として取り上げることによって、図１３〜１５を参照しながら説明する。
【００４７】
Ｉ．直線偏波を有するダイポールアンテナ
図１３に、本発明の他の実施例による、ダイポールアンテナのすべての偏波特性の球面図上への表示結果を示し、このダイポールアンテナは、球座標系の原点を中心として、球座標系のＺ軸に沿って配置されている。
【００４８】
図１３の偏波パターンを得た後に、技術者は上記ダイポールアンテナが直線偏波のアンテナであることを判定することができる、というのは、すべての放射方向における上記ダイポールアンテナの偏波パターンがおよそ線分として示されているからである。すべての線分が球の経線に平行であるので、上記ダイポールアンテナの放射電界は垂直偏波として示されている。さらに、図１３より、これらの線分は、θが90°に等しい球の赤道付近で最長であることがわかる。このことに基づき、上記ダイポールアンテナは球の赤道付近の放射方向において最強の放射電界強度を有することを判定することができ、このことは、このアンテナのドーナツ形放射パターンの特徴である。図１３はさらに、球の極点における2.91dBのＡＲ値、及び赤道とＸ軸との交点における22.7dBのＡＲ値を示している。これら２つのＡＲ値を参照して、各放射方向におけるこのダイポールアンテナのＡＲ値の分布をおよそ推定することができる。
【００４９】
以上の説明より、図１３に示す球面図中の偏波パターンは、技術者が各放射方向におけるダイポールアンテナのすべての偏波情報を容易に得ることに役立つことができることがわかる。
【００５０】
II．円偏波を有するパッチアンテナ
図１４に、本発明の他の実施例による、パッチアンテナのすべての偏波特性の球面図上への表示結果を示し、このパッチアンテナの配置及びその三次元パターンは、それぞれ図７及び図８を参照することができる。
【００５１】
図１４の偏波パターンを得た後に、各放射方向における上記パッチアンテナの偏波パターンは円形として示されていることがわかり、これにより、技術者は上記パッチアンテナが円偏波のアンテナであることを判定することができる。図１４では、円毎の軌跡が半時計回りに太線から細線へと次第に変化していることがわかり、従って、上記パッチアンテナが右円偏波のアンテナであることを判定することができる。さらに、図１４より、球座標系のＸ軸の正方向ではこれらの円が大きいサイズを有することがわかり、従って、上記パッチアンテナはＸ軸に沿って強い放射電界強度を有することを判定することができ、このことは、図８の三次元放射パターンが示すアンテナ特性によるものである。図１４はさらに、球の極点における0.104dBのＡＲ値、及び赤道上のＸ軸付近の2.51dBのＡＲ値を示している。これら２つのＡＲ値を参照して、各放射方向における上記パッチアンテナのＡＲ値の分布をおよそ推定することができる。
【００５２】
以上の説明より、図１４に示す球面図中の偏波パターンは、技術者が各放射方向におけるパッチアンテナのすべての偏波情報を容易に得ることに役立つことができることがわかる。
【００５３】
III．複雑な偏波を有するＰＩＦＡ
図１５に、本発明の他の実施例による、ＰＩＦＡのすべての偏波特性の球面図上への表示結果を示す。
【００５４】
図１５の偏波パターンを得た後に、上記ＰＩＦＡの偏波パターンは、円に近いパターン、直線に近いパターン、及び楕円パターンを含むことがわかる。これにより、技術者は上記ＰＩＦＡが、純粋な円偏波、直線偏波、または楕円偏波ではない複雑な偏波特性を有することを判定することができる。さらに、図１５より、上記ＰＩＦＡアンテナは、球座標系のＸ−Ｙ平面の放射方向では非常に高いＡＲ値を有する垂直直線偏波を有し、上記ＰＩＦＡアンテナの偏波は、球座標系のＸ−Ｚ平面の放射方向では水平偏波の傾向があることがわかる。さらに、図１５より、上記ＰＩＦＡは、球座標系のＸ−Ｚ面のＸ軸付近の放射方向において最強の放射電界強度を有することを判定することができる。図１５はさらに、球の極点における24.59dBのＡＲ値、Ｘ軸付近の28.29dBのＡＲ値、及びＹ軸における7.10dBのＡＲ値を示している。これら３つのＡＲ値を参照して、各放射方向におけるこのＰＩＦＡアンテナのＡＲ値の分布をおよそ推定することができる。
【００５５】
以上の説明より、図１５に示す球面図中の偏波パターンは、技術者が各放射方向におけるＰＩＦＡアンテナのすべての偏波情報を容易に得ることに役立つことができることがわかる。
【００５６】
上述した本発明によるアンテナの偏波表示方法は、ソフトウェア、またはハードウェア、あるいは両者の組合せで実現することができる。この方法は、印刷媒体または印刷工程に応用することができ、あるいはまた、ソフトウェアを用いることによってコンピュータ上で実現し表示することができる。
【００５７】
図１６に、本発明によるアンテナの偏波表示方法をハードウェアで実現する際の、対応する機能モジュールを示す。選択ユニット１１は、アンテナの放射方向から複数のサンプル方向を表示解像度の要求に応じて選択して、マッピングユニット１２及びデータ取得ユニット１３に報告するように動作する。マッピングユニット１２は、上記複数のサンプル方向を、二次元平面直角図または球面図中の対応する点にマッピングする。データ取得ユニット１３は、既存のシミュレーションソフトウェアを用いることによって、上記複数のサンプル方向におけるアンテナの遠距離電界データを取得し、プロット手段１４は、データ取得ユニット１３から送信される上記遠距離電界データに基づいて、上記複数のサンプル方向におけるアンテナの偏波パターンを二次元平面直角図または球面図上にプロットする。
【００５８】
本発明の実施例についての図面を参照した詳細な説明より、上記偏波パターンは、各放射方向におけるアンテナの偏波の種類、偏波の向き、偏波の傾斜角、及びＡＲ値を提供することができることがわかる。従って、従来技術に比べれば、本発明によるアンテナの偏波表示方法は、各放射方向におけるアンテナのすべての偏波情報を提供することができる。
【００５９】
さらに、本発明によるアンテナの偏波表示方法では、アンテナのすべての放射方向から複数の放射方向をサンプル方向として選択し、各サンプル方向における遠距離電界データを取得し、各サンプル方向を、二次元平面直角図または球面図中の対応する点にマッピングし、そして、各サンプル方向における遠距離電界データに基づいて、各サンプル方向における偏波パターンを、上記二次元平面直角図または球面図中の対応するマッピング点を中心としてプロットする。従来技術に比べれば、本発明によるアンテナの偏波表示方法は１つの図、即ち１つの二次元平面直角図または球面図のみを用いて、各放射方向におけるアンテナのすべての偏波情報を提供する。
【００６０】
請求項にその範囲を規定する本発明の原理から逸脱することなしに、本発明に開示したアンテナの偏波表示方法及び装置に種々の改良及び変形を加えることができることは、当業者にとって明らかである。
【図面の簡単な説明】
【００６１】
【図１】球座標系における放射方向（θ，φ）の位置関係を示す図である。
【図２】所定放射方向（θ，φ）におけるアンテナの２つの電界線分Ｅθ及びＥφについての、対応する偏波パターンの時間領域波形を示す図である。
【図３】本発明による、アンテナの完全な偏波情報を表現するための二次元平面直角図である。
【図４】直線偏波特性を有するダイポールアンテナの構造を示す図である。
【図５】図４に示すダイポールアンテナの三次元放射パターンを示す図である。
【図６】本発明による二次元平面直角図における、図４のダイポールアンテナの完全な偏波特性の表示結果を示す図である。
【図７】円偏波特性を有するパッチアンテナの構造を示す図である。
【図８】図７のパッチアンテナの三次元放射パターンを示す図である。
【図９】本発明による二次元平面直角図における、図７のパッチアンテナの完全な偏波特性の表示結果を示す図である。
【図１０】複雑な偏波特性を有する板状逆Ｆアンテナ（ＰＩＦＡ）の構造を示す図である。
【図１１】図１０のＰＩＦＡの三次元放射パターンを示す図である。
【図１２】本発明による二次元平面直角図における、図１０のＰＩＦＡの完全な偏波特性の表示結果を示す図である
【図１３】本発明の他の実施例による球面図上の、ダイポールアンテナの完全な偏波特性の表示結果を示す図である。
【図１４】本発明の他の実施例による球面図上の、パッチアンテナの完全な偏波特性の表示結果を示す図である。
【図１５】本発明の他の実施例による球面図上の、ＰＩＦＡの完全な偏波特性の表示結果を示す図である。
【図１６】本発明によるアンテナの偏波表示方法に対応する機能モジュールを示す図である。
【図１】
2009509157.tif 000003
【図２】
2009509157.tif 000004
【図３】
2009509157.tif 000005
【図４】
2009509157.tif 000006
【図５】
2009509157.tif 000007
【図６】
2009509157.tif 000008
【図７】
2009509157.tif 000009
【図８】
2009509157.tif 000010
【図９】
2009509157.tif 000011
【図１０】
2009509157.tif 000012
【図１１】
2009509157.tif 000013
【図１２】
2009509157.tif 000014
【図１３】
2009509157.tif 000015
【図１４】
2009509157.tif 000016
【図１５】
2009509157.tif 000017
【図１６】
2009509157.tif 000018
【国際調査報告】
2009509157.tif 000019
2009509157.tif 000020